(57)【要約】      （修正有）【課題】より簡易な構造を用いつつ人々の目を非常に有効に引き付けることができるディスプレイ装置を提供する。【解決手段】ディスプレイ装置１０は、文字１８（任意の表示内容）を外周部に表示可能であり、軸方向に延びるガイド部が内周面に設けられ、軸方向回りに回転しながら又は回転せずに軸方向に往復移動可能な第１筒状体１１と、第１筒状体の端部に設けられた第１立体カム部２１と、第１筒状体の径方向内側に回動可能に配置され、第１筒状体のガイド部を軸方向に案内すると共にガイド部と周方向に係合するガイドレール部材１４と、第１筒状体と同軸上に設けられ、軸方向移動なく第１筒状体に対して相対回転可能な第２筒状体１２と、第２筒状体の端部に設けられ、第１立体カム部と摺動する第２立体カム部２２と、ガイドレール部材と第２筒状体の少なくとも一方を回転駆動する駆動部１６と、を有する。【選択図】図１
0003223388.tif 000002
【実用新案登録請求の範囲】
【請求項１】
筒状に形成され、任意の表示内容を外周部に表示可能であり、軸方向に延びるガイド部が内周面に設けられ、軸方向回りに回転しながら又は回転せずに、軸方向に往復移動可能な第１筒状体と、
前記第１筒状体の軸方向の一方の端部に設けられ、前記第１筒状体の周方向において軸方向の一方側への突出量が周期的に変化するように形成された第１立体カム部と、
前記第１筒状体の径方向内側に配置され、前記第１筒状体の前記ガイド部を軸方向に案内すると共に前記ガイド部と周方向に係合し、軸方向回りに回転することで前記第１筒状体を回転させることが可能なガイドレール部材と、
筒状に形成され、前記第１筒状体と同軸上に設けられ、軸方向に移動することなく軸方向回りに前記第１筒状体に対して相対回転可能、又は回転しないように構成された第２筒状体と、
前記第２筒状体の前記第１立体カム部側の端部に設けられ、前記第２筒状体の周方向において前記第１立体カム部側への突出量が周期的に変化するように形成され、前記第２筒状体に対する前記第１筒状体の相対回転時に前記第１立体カム部と摺動して前記第１筒状体を軸方向に往復移動させる第２立体カム部と、
前記ガイドレール部材と前記第２筒状体の少なくとも一方を軸方向回りに回転駆動する駆動部と、
を有するディスプレイ装置。
【請求項２】
前記第１立体カム部及び前記第２立体カム部には、周方向に互いに隣接する山部と谷部を１周期とすると、それぞれ２周期分の前記山部と前記谷部が形成されている請求項１に記載のディスプレイ装置。
【請求項３】
前記ガイドレール部材の前記第１筒状体と反対側の端部には、筒状部が一体的に設けられ、
前記筒状部の径方向内側には、前記筒状部を回転自在に支持する支持部が挿入され、
前記第２筒状体は、前記筒状部の径方向外側に重ねて配置され、前記筒状部により回転自在に支持されている請求項１又は請求項２に記載のディスプレイ装置。
【請求項４】
前記筒状部の外周には、前記筒状部が設けられた前記ガイドレール部材を回転させるための第１歯車が形成されている請求項３に記載のディスプレイ装置。
【請求項５】
前記第２筒状体の外周には、前記第２筒状体を回転させるための第２歯車が形成されている請求項３又は請求項４に記載のディスプレイ装置。
【請求項６】
第１筒状体、前記ガイドレール部材及び前記第２筒状体を一組のディスプレイ要素とすると、複数組の前記ディスプレイ要素が並列に配置され、
前記駆動部は、前記複数のディスプレイ要素を同期して駆動する請求項１〜請求項５の何れか１項に記載のディスプレイ装置。
【考案の詳細な説明】
【技術分野】
【０００１】
本考案は、ディスプレイ装置に関する。
【背景技術】
【０００２】
取付体に着脱可能に設けた広告体と、取付体を介して広告体を上下動させる昇降装置と、公告体を回転させる回転装置とを備えた店頭宣伝装置が開示されている（特許文献１参照）。
【０００３】
また、レシプロエンジンをイメージさせ、かつピストンの一部に表示された会社名や車名等の任意の文字等の表示内容が周期的、立体的かつ動的に見え隠れするようにしたディスプレイ装置が開示されている（特許文献２参照）。
【先行技術文献】
【特許文献】
【０００４】
【特許文献１】実開平３−５４９９０号公報
【特許文献２】特開２００４−３４７８１９号公報
【考案の概要】
【考案が解決しようとする課題】
【０００５】
しかしながら、上記した特許文献１に係る従来例では、昇降装置としてのピストンクランク機構と、回転装置として立体カムとが組み合わせられた複雑な構造を必要とする。
【０００６】
また、上記した特許文献２に係る従来例では、遊星歯車機構によりピストンクランク機構を回転させ、該ピストンクランク機構によりピストンを上下動させるという複雑な構造を必要とする。
【０００７】
本考案は、より簡易な構造を用いつつ人々の目を有効に引き付けることができるようにし、自動車のショールームや自動車ショーの展示ブースに設置して会社名や車名等の広告装置として極めて好適なディスプレイ装置を提供することを目的とする。
【課題を解決するための手段】
【０００８】
第１の態様に係るディスプレイ装置は、筒状に形成され、任意の表示内容を外周部に表示可能であり、軸方向に延びるガイド部が内周面に設けられ、軸方向回りに回転しながら又は回転せずに、軸方向に往復移動可能な第１筒状体と、前記第１筒状体の軸方向の一方の端部に設けられ、前記第１筒状体の周方向において軸方向の一方側への突出量が周期的に変化するように形成された第１立体カム部と、前記第１筒状体の径方向内側に配置され、前記第１筒状体の前記ガイド部を軸方向に案内すると共に前記ガイド部と周方向に係合し、軸方向回りに回転することで前記第１筒状体を回転させることが可能なガイドレール部材と、筒状に形成され、前記第１筒状体と同軸上に設けられ、軸方向に移動することなく軸方向回りに前記第１筒状体に対して相対回転可能、又は回転しないように構成された第２筒状体と、前記第２筒状体の前記第１立体カム部側の端部に設けられ、前記第２筒状体の周方向において前記第１立体カム部側への突出量が周期的に変化するように形成され、前記第２筒状体に対する前記第１筒状体の相対回転時に前記第１立体カム部と摺動して前記第１筒状体を軸方向に往復移動させる第２立体カム部と、前記ガイドレール部材と前記第２筒状体の少なくとも一方を軸方向回りに回転駆動する駆動部と、を有する。
【０００９】
このディスプレイ装置では、ガイドレール部材と第２筒状体の少なくとも一方が、駆動部により軸方向回りに回転駆動される。ガイドレール部材は第１筒状体と周方向に係合しているので、ガイドレール部材の回転に伴い、第１筒状体も回転する。つまり、第１筒状体と第２筒状体とが相対回転する。この相対回転の態様には、第１筒状体と第２筒状体とが互いに逆方向に回転する場合と、第１筒状体が回転し第２筒状体は回転しない場合と、第１筒状体は回転せず第２筒状体が回転する場合等がある。
【００１０】
第１筒状体と第２筒状体とが相対回転すると、第１筒状体に形成された第１立体カム部と第２筒状体に形成された第２立体カム部とが互いに摺動する。このとき、第２筒状体は軸方向には移動しないため、第１筒状体が第１立体カム部及び第２立体カム部の各々の突出量の周期的な変化に伴い、軸方向に往復移動する。これにより、第１筒状体に表示された表示内容が軸方向に往復移動して見える。これに加えて第１筒状体が回転する場合には、表示内容も回転する。つまり、表示内容が回転しながら往復移動する。第１筒状体が回転しない場合には、表示内容は回転せずに単に往復移動する。
【００１１】
このように、従来よりも簡易な構造を用いつつ、人々の目を第１筒状体の表示内容に有効に引き付けることができる。
【００１２】
第２の態様は、第１の態様に係るディスプレイ装置において、前記第１立体カム部及び前記第２立体カム部には、周方向に互いに隣接する山部と谷部を１周期とすると、それぞれ２周期分の前記山部と前記谷部が形成されている。
【００１３】
このディスプレイ装置では、第１立体カム部及び第２立体カム部に、それぞれ２周期分の山部と谷部が形成されているので、第１筒状体と第２筒状体とが互いに逆方向に同一速度で回転する場合、第１筒状体が１回転する毎に４回往復移動する。第１筒状体が回転し、第２筒状体が回転しない場合には、第１筒状体が１回転毎に２回往復移動する。第１筒状体が回転せず、第２筒状体が回転する場合にも、第１筒状体は１回転毎に２回往復移動する。
【００１４】
第３の態様は、第１又は第２の態様に係るディスプレイ装置において、前記ガイドレール部材の前記第１筒状体と反対側の端部には、筒状部が一体的に設けられ、前記筒状部の径方向内側には、前記筒状部を回転自在に支持する支持部が挿入され、前記第２筒状体は、前記筒状部の径方向外側に重ねて配置され、前記筒状部により回転自在に支持されている。
【００１５】
このディスプレイ装置では、ガイドレール部材に筒状部が一体的に設けられ、該筒状部は支持部により回転自在に支持されている。つまり、ガイドレール部材は、その筒状部が支持部に回転自在に支持されることで回転可能とされている。第２筒状体は、ガイドレール部材の筒状部に支持されて回転可能とされている。
【００１６】
第４の態様は、第３の態様に係るディスプレイ装置において、前記筒状部の外周には、前記筒状部が設けられた前記ガイドレール部材を回転させるための第１歯車が形成されている。
【００１７】
このディスプレイ装置では、ガイドレール部材における筒状部の外周に第１歯車が形成されているので、駆動部により第１歯車を回転させることでガイドレール部材を回転させることができる。ガイドレール部材は第１筒状体のガイド部と周方向に係合しているので、ガイドレール部材を回転させることにより第１筒状体を回転させることができる。
【００１８】
第５の態様は、第３又は第４の態様に係るディスプレイ装置において、前記第２筒状体の外周には、前記第２筒状体を回転させるための第２歯車が形成されている。
【００１９】
このディスプレイ装置では、第２筒状体の外周に第２歯車が形成されているので、駆動部により第２歯車を回転させることで第２筒状体を回転させることができる。
【００２０】
第６の態様は、第１〜第５の態様の何れか１態様に係るディスプレイ装置において、第１筒状体、前記ガイドレール部材及び前記第２筒状体を一組のディスプレイ要素とすると、複数組の前記ディスプレイ要素が並列に配置され、前記駆動部は、前記複数のディスプレイ要素を同期して駆動する。
【００２１】
このディスプレイ装置では、複数組のディスプレイ要素が並列に配置され、駆動部が該複数のディスプレイ要素を同期して駆動するので、複数の第１筒状体に表示された複数の表示内容を連動して往復移動させたり、連動して回転させながら往復移動させたりすることができる。これにより、人々の目を更に有効に引き付けることができる。
【考案の効果】
【００２２】
本考案に係るディスプレイ装置によれば、より簡易な構造を用いつつ人々の目を有効に引き付けることができるようにし、自動車のショールームや自動車ショーの展示ブースに設置して会社名や車名等の広告装置として極めて好適なディスプレイ装置を提供することができる。
【図面の簡単な説明】
【００２３】
【図１】本実施形態に係るディスプレイ装置を示す正面図である。
【図２】本実施形態に係るディスプレイ装置を示す背面図である。
【図３】本実施形態に係るディスプレイ装置を示す平面図である。
【図４】ディスプレイ要素を示す分解斜視図である。
【図５】ガイドレール部材の変形例を示す斜視図である。
【図６】（Ａ）〜（Ｄ）は、第１筒状体と第２筒状体が互いに逆方向に回転して行く過程を示す正面図である。
【図７】（Ａ）〜（Ｄ）は、第２筒状体が回転せずに第１筒状体が回転して行く過程を示す正面図である。
【図８】（Ａ）〜（Ｄ）は、第１筒状体が回転せずに第２筒状体が回転して行く過程を示す正面図である。
【図９】駆動部の変形例を示す側面図である。
【考案を実施するための形態】
【００２４】
以下、本考案を実施するための形態を図面に基づき説明する。
【００２５】
図１、図２において、本実施形態に係るディスプレイ装置１０は、第１筒状体１１と、第１立体カム部２１と、ガイドレール部材１４と、第２筒状体１２と、第２立体カム部２２と、駆動部１６とを有している。第１筒状体１１、ガイドレール部材１４及び第２筒状体１２を一組のディスプレイ要素２０とすると、ディスプレイ装置１０には、複数組のディスプレイ要素２０が並列に配置されている。
【００２６】
第１筒状体１１は、例えば断面円形の筒状に形成され、任意の表示内容、例えば文字１８を外周部に表示可能とされている。他の表示内容としては、図形、模様、色彩等が考えられる。表示内容は、平面的であってもよく、また立体的であってもよい。更に、表示内容を表示する手段は、各種の電子表示パネルであってもよい。
【００２７】
図４に示されるように、第１筒状体１１の外周面及び内周面は、それぞれ例えば断面略円形に形成されている。この内周面には、軸方向に延びるガイド部１１Ａが設けられている。ガイド部１１Ａは、例えば軸方向と平行に延びる突起であり、第１筒状体１１の内周面のうち、例えば互いに径方向に対向する２箇所に形成されている。このガイド部１１Ａの周方向位置は、第１立体カム部２１のうち、最も第２筒状体１２側に突出した部位に相当する。
【００２８】
第１筒状体１１は、ガイドレール部材１４により案内されて、軸方向に往復移動可能に構成されている。また第１筒状体１１は、駆動部１６により回転駆動されるガイドレール部材１４を介して、軸方向回りに回転可能に構成されている。したがって、第１筒状体１１を回転させながら往復移動させることが可能となっている。なお、ガイドレール部材１４を回転させないことにより、第１筒状体１１を回転させずに往復移動させることも可能となっている。
【００２９】
図１、図２、図４において、第１立体カム部２１は、第１筒状体１１の軸方向の一方の端部に設けられている。具体的には、第１立体カム部２１は、第１筒状体１１の第２筒状体１２側の端面に一体的に形成されている。この第１立体カム部２１は、第１筒状体１１の周方向において軸方向の一方側（第２筒状体１２側）への突出量が周期的に変化するように、例えば正弦波状に形成されている。第１立体カム部２１には、周方向に互いに隣接する山部２１Ａと谷部２１Ｂを１周期とすると、２周期分の山部２１Ａと谷部２１Ｂが形成されている。これにより、一対の山部２１Ａが径方向に対向し、該対向方向と直交する径方向に一対の谷部２１Ｂが対向している。
【００３０】
ガイドレール部材１４は、第１筒状体１１の径方向内側に配置され、第１筒状体１１のガイド部１１Ａを軸方向に案内すると共にガイド部１１Ａと周方向に係合し、軸方向回りに回転することで第１筒状体１１を回転させることが可能とされている。具体的には、図４に示されるように、ガイドレール部材１４は、第１筒状体１１のガイド部１１Ａに沿って延びる一対のレール部１４Ａと、該レール部１４Ａの上端を径方向に連結する連結部１４Ｂとを有している。一対のレール部１４Ａの外寸Ｗは、第１筒状体１１の内径ｄ１１よりわずかに小さい。これにより、第１の筒状体１１の内側にガイドレール部材１４を配置できるようになっている。
【００３１】
レール部１４Ａには、該レール部１４Ａに沿って延びるガイド溝１４Ｃが形成されている。第１筒状体１１をガイドレール部材１４に組み付けたとき、第１筒状体１１のガイド部１１Ａ（突起）がガイド溝１４Ｃ内に差し込まれるようになっている。これにより、ガイドレール部材１４は、第１筒状体１１のガイド部１１Ａを軸方向に案内すると共にガイド部１１Ａと周方向に係合し、軸方向回りに回転することで第１筒状体１１を回転させることが可能となっている。
【００３２】
ガイドレール部材１４の第１筒状体１１と反対側の端部（レール部１４Ａの連結部１４Ｂと反対側の端部）には、筒状部１４Ｄが一体的に設けられている。筒状部１４Ｄの外周面の断面形状と内周面の断面形状は、例えばそれぞれ円形とされている。筒状部１４Ｄの外径は、一対のレール部１４Ａの外寸Ｗと概ね等しい。また、筒状部１４Ｄの内径ｄ１４は、一対のレール部１４Ａの内寸ｗと概ね等しい。筒状部１４Ｄの外周には、筒状部１４Ｄが設けられたガイドレール部材１４を回転させるための第１歯車３１が形成されている。
【００３３】
筒状部１４Ｄの径方向内側には、筒状部１４Ｄを回転自在に支持する支持部２４が挿入されている。支持部２４の外周面は、例えば断面円形に形成されている。支持部２４の外径は、筒状部１４Ｄの内径ｄ１４よりもわずかに小さい。支持部２４の基部２６は、平板状の基台２８（図１から図３）に固定されている。なお、支持部２４の外周面に溝や凹部を設けることで、筒状部１４Ｄとの接触面積を少なくして、摩擦抵抗を低減するように構成してもよい。また、支持部２４の内側に、ＬＥＤ等の照明装置（図示せず）が設けられていてもよい。
【００３４】
なお、ガイドレール部材１４の構成は、上記の構成に限られず、例えば図５に示される変形例の構成とすることも可能である。この変形例に係るガイドレール部材１４は、全体が筒状部１４Ｄとされ、ガイド溝１４Ｃが筒状部１４Ｄの外周面に形成されている。図１に示される例では、第１筒状体１１の往復移動時にレール部１４Ａ等の内部構造が見え隠れするが、ガイドレール部材１４を図５に示される構成とすることで、内部構造を見え難くすることができる。
【００３５】
第２筒状体１２は、筒状に形成され、第１筒状体１１と同軸上に設けられ、軸方向に移動することなく軸方向回りに第１筒状体１１に対して相対回転可能、又は回転しないように構成されている。具体的には、図４に示されるように、第２筒状体１２の外周面及び内周面は、それぞれ例えば断面略円形に形成されている。また、第２筒状体１２は、筒状部１４Ｄの径方向外側に重ねて配置され、筒状部１４Ｄにより回転自在に支持されている。第２筒状体１２の内径ｄ１２は、第１筒状体１１の内径ｄ１１と同様に、筒状部１４Ｄの外径よりもわずかに小さい。つまり、第１筒状体１１の内径ｄ１１と第２筒状体１２の内径ｄ１２は、概ね等しい。第２筒状体１２の外周には、第２筒状体１２を回転させるための第２歯車３２が形成されている。図１、図２に示されるように、第２歯車３２は、第１歯車３１の上方（第１筒状体１１側）に近接して設けられている。また、第１歯車３１と第２歯車３２の寸法は、例えば同一である。
【００３６】
本実施形態では、第１筒状体１１が第２筒状体１２の上に位置しているので、第１筒状体１１を上部体、第２筒状体１２を下部体と言い換えることもできる。なお、本実施形態の上下を反転させ、水槽内に配置してもよい。その場合、第２筒状体１２が上部体となり、第１筒状体１１が下部体となる。そして、第１筒状体１１は、第１立体カム部２１及び第２立体カム部２２の作用と、液体中で第１筒状体１１に作用する浮力により上下動する。
【００３７】
第２立体カム部２２は、第２筒状体１２の第１立体カム部２１側の端部に設けられている。具体的には、第２立体カム部２２は、第２筒状体１２の第１筒状体１１側の端面に一体的に形成されている。この第２立体カム部２２は、第２筒状体１２の周方向において軸方向の一方側（第１筒状体１１側）への突出量が周期的に変化するように、例えば正弦波状に形成されている。第２立体カム部２２には、周方向に互いに隣接する山部２２Ａと谷部２２Ｂを１周期とすると、２周期分の山部２２Ａと谷部２２Ｂが形成されている。これにより、一対の山部２２Ａが径方向に対向し、該対向方向と直交する径方向に一対の谷部２２Ｂが対向している。第２立体カム部２２は、第２筒状体１２に対する第１筒状体１１の相対回転時に、第１立体カム部２１と摺動して第１筒状体１１を軸方向に往復移動させるようになっている。
【００３８】
図１から図３において、駆動部１６は、ガイドレール部材１４と第２筒状体１２の少なくとも一方を軸方向回りに回転駆動する機構である。駆動部１６の駆動源として、例えば電動のモータ３４が用いられる。このモータ３４は、基台２８の上に設置されている。モータ３４の出力軸は、カップリング３６を介して第２軸４２に接続されている。第２軸４２は、その両端を取付けブラケット３８により回動自在に支持されると共に、第２歯車３２に対応する高さ位置に設置されている。第２軸４２の下側（基台２８側）には、第１軸４１が該第２軸４２と平行に配置されている。この第１軸４１は、その両端を取付けブラケット３８により回動自在に支持されると共に、第１歯車３１に対応する高さ位置に設置されている。
【００３９】
図２に示されるように、第２軸４２において、各々のディスプレイ要素２０の第２歯車３２に対応する位置には、ウォーム４２Ａがそれぞれ設けられている。ウォーム４２Ａは、それぞれ第２歯車３２に噛み合っている。また、第１軸４１において、各々のディスプレイ要素２０の第１歯車３１に対応する位置には、ウォーム４１Ａがそれぞれ設けられている。ウォーム４１Ａは、それぞれ第１歯車３１に噛み合っている。このように各軸に設けられたウォームを各歯車に噛み合わせることで、駆動部１６は、複数のディスプレイ要素２０を同期して駆動するように構成されている。
【００４０】
第１軸４１及び第２軸４２の例えばモータ３４側の端部には、それぞれ同一寸法の歯車５１，５２が設けられている。歯車５１，５２は互いに噛み合っており、モータ３４の駆動力が歯車５１，５２を介して第２軸４２から第１軸４１に伝達されるようになっている。また、歯車５１，５２により、第１軸４１は第２軸４２に対して逆回転するようになっている。歯車５１，５２のギヤ比は例えば１：１であるが、これ以外のギヤ比であってもよい。
【００４１】
（作用）
本実施形態は、上記のように構成されており、以下その作用について説明する。図１から図３において、本実施形態に係るディスプレイ装置１０では、駆動部１６により、ガイドレール部材１４と第２筒状体１２の少なくとも一方が、駆動部１６により軸方向回りに回転駆動される。駆動部１６は、ガイドレール部材１４を回転させると共に、第２筒状体１２をガイドレール部材１４（第１筒状体１１）の回転方向と反対方向に回転させることができる。また、駆動部１６は、ガイドレール部材１４（第１筒状体１１）を回転させ、第２筒状体１２を回転させないようにもできる。更に、駆動部１６は、ガイドレール部材１４（第１筒状体１１）を回転させず、第２筒状体１２を回転させることができる。
【００４２】
まず、第１筒状体１１と第２筒状体１２とが互いに逆方向に回転する場合について説明する。駆動部１６のモータ３４が作動すると、出力軸に接続された第２軸４２が回転する。またこのとき、歯車５１，５２を介して第１軸４１が第２軸４２に対して逆方向に回転する。第２軸４２の回転に伴い、ウォーム４２Ａも回転する。ウォーム４２Ａは第２歯車３２と噛み合い、該第２歯車３２は第２筒状体１２の外周に設けられているので、駆動部１６により第２歯車３２を回転させることで、第２筒状体１２を回転させることができる
【００４３】
一方、第１軸４１の回転に伴いウォーム４１Ａも回転する。ウォーム４１Ａは第１歯車３１と噛み合い、該第１歯車３１はガイドレール部材１４に設けられているので、駆動部１６により第１歯車３１を回転させることでガイドレール部材１４を回転させることができる。ガイドレール部材１４は、第１筒状体１１と周方向に係合しているので、ガイドレール部材１４の回転に伴い、第１筒状体１１も回転する。第１軸４１と第２軸４２とは互いに逆方向に回転するので、第１筒状体１１と第２筒状体１２とが、同軸上において互いに逆方向に回転する。
【００４４】
本実施形態では、ガイドレール部材１４に筒状部１４Ｄが一体的に設けられ、該筒状部１４Ｄは支持部２４により回転自在に支持されている。つまり、ガイドレール部材１４は、その筒状部１４Ｄが支持部２４に回転自在に支持されることで回転可能とされている。第２筒状体１２は、ガイドレール部材１４の筒状部１４Ｄに支持されて回転可能とされている。
【００４５】
図６（Ａ）〜（Ｄ）に示されるように、第１筒状体１１と第２筒状体１２とが相対回転すると、第１筒状体１１に形成された第１立体カム部２１と第２筒状体１２に形成された第２立体カム部２２とが互いに摺動する。このとき、第２筒状体１２は軸方向には移動しないため、第１筒状体１１が第１立体カム部２１及び第２立体カム部２２の各々の突出量の周期的な変化に伴い、軸方向に往復移動する。具体的には、第１立体カム部２１の山部２１Ａと第２立体カム部２２の山部２２Ａとが軸方向に向かい合ったときに、第１筒状体１１が最も上方（上死点）へ移動する。また、第１立体カム部２１の山部２１Ａと第２立体カム部２２の谷部２２Ｂとが軸方向に向かい合ったとき（第１立体カム部２１の谷２１Ｂと第２立体カム部２２の山部２２Ａとが軸方向に向かい合ったとき）に、第１筒状体１１が最も下方（下死点）へ移動する。第１筒状体１１は、この上死点と下死点の間で往復移動する。これにより、第１筒状体１１に表示された文字１８（表示内容）が軸方向に往復移動して見える。これに加えて、第１筒状体１１が回転するので、文字１８も軸方向回りに回転する。つまり、文字１８が回転しながら往復移動する。
【００４６】
本実施形態では、第１立体カム部２１及び第２立体カム部２２に、それぞれ２周期分の山部２１Ａ，２２Ａと谷部２１Ｂ，２２Ｂが形成されているので、第１筒状体１１と第２筒状体１２とが互いに逆方向に同一速度で回転する場合、第１筒状体１１が１回転する毎に４回往復移動する。
【００４７】
図７（Ａ）〜（Ｄ）に示されるように、第１筒状体１１を回転させ、第２筒状体１２を回転させない場合には、第１筒状体１１が１回転毎に２回往復移動する。この場合にも、文字１８が回転しながら往復移動する。第２筒状体１２を回転させない場合には、第２筒状体１２を固定することが必要である。その手段として、例えば第２筒状体１２を基台２８に固定することが考えられる。また、駆動部１６により第１軸４１のみを駆動するようにして、第２軸４２を回転させずに、ウォーム４２Ａと第２歯車３２との係合により、第２筒状体１２の回転を防止するようにしてもよい。
【００４８】
図８（Ａ）〜（Ｄ）に示されるように、第１筒状体１１を回転させず、第２筒状体１２を回転させる場合にも、第１筒状体１１は１回転毎に２回往復移動する。この場合、第１筒状体１１が回転しないため、文字１８も回転せずに単に往復移動する。したがって、文字１８を常に正面に配置したまま往復移動させることができる。
【００４９】
このように、本実施形態によれば、従来よりも簡易な構造を用いつつ、人々の目を第１筒状体１１の表示内容に有効に引き付けることができる。特に、複数組のディスプレイ要素２０が並列に配置され、駆動部１６が該複数のディスプレイ要素２０を同期して駆動するので、複数の第１筒状体１１に表示された複数の文字１８（表示内容）を連動して往復移動させたり、連動して回転させながら往復移動させたりすることができる。これにより、人々の目を更に有効に引き付けることができる。
【００５０】
図１、図２に示される例では、複数のディスプレイ要素２０において、第１立体カム部２１と第２立体カム部２２の位相に差を設けることで、各々の第１筒状体１１の往復移動の仕方に差を付けることができる。これにより、レシプロエンジンにおけるピストンの往復移動の動きを表現することが可能である。したがって、ディスプレイ装置１０は、自動車のショールームや自動車ショーの展示ブースに設置される、会社名や車名等の広告装置として極めて好適である。また、ディスプレイ装置１０を防水ケースに収納することで、該ディスプレイ装置１０を屋外の植込みの中等にも設置可能である。
【００５１】
（駆動部の変形例）
駆動部１６の構成は上記の構成に限られず、例えば図９に示されるような歯車機構４４を用いた構成であってもよい。この歯車機構４４は、かさ歯車４６，４８，５０と、出力歯車５８，６０と、遊び歯車６８，７０を有している。かさ歯車４６は、モータ３４から基台２８と平行に延びる出力軸に取り付けられている。かさ歯車４８は、かさ歯車４６の上側に配置されると共に、かさ歯車４６と噛み合っている。かさ歯車５０は、かさ歯車４６の下側に配置されると共に、かさ歯車４６と噛み合っている。かさ歯車４８，５０の回転軸はディスプレイ要素２０の軸方向と平行な同一直線上にある。かさ歯車４８，５０は、互いに独立して回転可能である。かさ歯車４８の同軸上には出力歯車５８が取り付けられ、かさ歯車４８及び出力歯車５８は一体的に回転する。また、かさ歯車５０の同軸上には出力歯車６０が取り付けられ、かさ歯車５０及び出力歯車６０は一体的に回転する。遊び歯車６８は、出力歯車５８から第２歯車３２へ回転を伝達する歯車である。また遊び歯車７０は、出力歯車６０から第１歯車３１へ回転を伝達する歯車である。かさ歯車４８，５０の回転軸、出力歯車５８，６０の回転軸、及び遊び歯車６８，７０の回転軸は、ケース５４により回動自在に支持されている。
【００５２】
この変形例では、モータ３４によりかさ歯車４６を回転させると、かさ歯車４８，５０が互いに逆方向に回転する。これにより、出力歯車５８，６０も互いに逆方向に回転する。出力歯車５８の回転は、遊び歯車６８を介して第２歯車３２に伝達される。また、出力歯車６０の回転は、遊び歯車７０を介して第１歯車３１に伝達される。これにより、上記実施形態同様に、第１筒状体１１と第２筒状体１２を相対回転させ、筒状体１１を往復移動させることができる。
【００５３】
この変形例に係る駆動部１６により、図１から図３のような複数のディスプレイ要素２０を駆動する場合には、互いに隣り合う第１歯車３１を遊び歯車（図示せず）で連結し、また互いに隣り合う第２歯車３２を遊び歯車（図示せず）で連結することで、１か所のディスプレイ要素２０に伝達した回転を他のディスプレイ要素２０に伝達してこれらを連動させることができる。
【００５４】
この変形例では、歯車機構４４を用いているので、第１歯車３１と第２歯車３２を回転させるために、図１から図３のように２本の軸（図１から図３の第１軸４１と第２軸４２）を用いる必要がないので、ディスプレイ装置１０を軽量化することができる。
【００５５】
［他の実施形態］
以上、本考案の実施形態の一例について説明したが、本考案の実施形態は、上記に限定されるものでなく、上記以外にも、その主旨を逸脱しない範囲内において種々変形して実施可能であることは勿論である。
【００５６】
第１筒状体１１と第２筒状体１２とが互いに逆方向に回転するものとしたが、同じ方向に回転してもよい。この場合、第１筒状体１１の回転速度と、第２筒状体１２の回転速度に差を与えることにより、第１筒状体１１を軸方向に往復移動させることができる。
【００５７】
第１筒状体１１と第２筒状体１２の外面は、断面円形に限られず、断面多角形等の他の形状であってもよい。
【００５８】
第１立体カム部２１は、第１筒状体１１の端面に設けられるものとしたが、端面より第１筒状体１１の径方向外側又は径方向内側にずれた位置に設けられてもよい。第２立体カム部２２についても同様である。
【００５９】
第２筒状体１２と筒状部１４Ｄとの間に軸受が設けられていてもよい。また、筒状部１４Ｄと支持部２４との間に軸受が設けられていてもよい。
【符号の説明】
【００６０】
１０    ディスプレイ装置
１１    第１筒状体
１１Ａ  ガイド部
１２    第２筒状体
１４    ガイドレール部材
１４Ｄ  筒状部
１６    駆動部
１８    文字（表示内容）
２０    ディスプレイ要素
２１    第１立体カム部
２１Ａ  山部
２１Ｂ  谷部
２２    第２立体カム部
２２Ａ  山部
２２Ｂ  谷部
２４    支持部
３１    第１歯車
３２    第２歯車
３４    モータ
【図１】
0003223388.tif 000003
【図２】
0003223388.tif 000004
【図３】
0003223388.tif 000005
【図４】
0003223388.tif 000006
【図５】
0003223388.tif 000007
【図６】
0003223388.tif 000008
【図７】
0003223388.tif 000009
【図８】
0003223388.tif 000010
【図９】
0003223388.tif 000011